(57)【要約】【課題】貯蔵庫の箱体の底壁に貯蔵室内外を連通する貫通孔を作らないアジャスター装置を提供する。【解決手段】アジャスター装置５は、断熱箱体内に貯蔵室３が構成され、この断熱箱体より下方に突出するアジャスターボルト８を備えて成る低温庫において、貯蔵室３の床面を構成する断熱箱体の底壁２Ａ内に回動自在に設けられた旋回部材１３を備え、この旋回部材１３をアジャスターボルト８に係合させると共に、旋回部材１３の上面を貯蔵室３の床面に露出させ、貯蔵室３内から当該旋回部材１３を回動操作することにより、アジャスターボルト８を回動可能とした。【選択図】図３
2006266643.tif 000002
【特許請求の範囲】
【請求項１】
箱体内に貯蔵室が構成され、該箱体より下方に突出するアジャスターボルトを備えて成る貯蔵庫において、
前記貯蔵室の床面を構成する前記箱体の底壁内に回動自在に設けられた旋回部材を備え、該旋回部材を前記アジャスターボルトに係合させると共に、該旋回部材の上面を前記貯蔵室の床面に露出させ、前記貯蔵室内から当該旋回部材を回動操作することにより、前記アジャスターボルトを回動可能としたことを特徴とする貯蔵庫のアジャスター装置。
【請求項２】
前記箱体は断熱箱体であり、前記貯蔵室内は所定の温度に冷却されると共に、前記旋回部材は断熱性材料にて構成されていることを特徴とする請求項１の貯蔵庫のアジャスター装置。
【請求項３】
前記旋回部材の上面は、前記貯蔵室の床面と略面一とされると共に、当該上面には工具を係合するための係合部が凹陥形成されていることを特徴とする請求項１又は請求項２の貯蔵庫のアジャスター装置。
【請求項４】
前記旋回部材の上面には、前記貯蔵室内に位置するハンドル部が一体に形成されていることを特徴とする請求項１又は請求項２の貯蔵庫のアジャスター装置。
【発明の詳細な説明】
【技術分野】
【０００１】
本発明は、例えば食品等の物品を貯蔵する貯蔵庫を設置現場に据え付ける際に用いられるアジャスター装置に関するものである。
【背景技術】
【０００２】
従来より食品等の物品を冷却しながら貯蔵する貯蔵庫としての低温庫は、断熱箱体（箱体）より構成されており、この断熱箱体内に貯蔵室が構成されている。そして、貯蔵室を冷却装置にて所定の冷蔵、或いは、冷凍温度に冷却するものであるが、通常設置現場の床面は完全な平坦では無いため、或いは、移動用の車輪から浮かせて安定的に据え付けるために、高さ調整用のアジャスターボルトから成るアジャスター装置が用いられる。
【０００３】
このアジャスター装置のアジャスターボルトは、貯蔵室の床面四隅に対応する断熱箱体の底壁に形成した貫通孔内に設けられ、断熱箱体から下方に突出している。そして、従来より貯蔵室内側からこのアジャスターボルトを回転させることで断熱箱体から突出量を調整し、設置現場の床面の凹凸を吸収するようにしていた。
【０００４】
また、このように貯蔵室内側からアジャスターボルトを回転操作できる構造であったために、例えば低温庫の背面及び左右面が設置現場の壁面に近接して設置される場合にも、特に奥側のアジャスターボルトを容易に回転させることができるものであった（例えば、特許文献１参照）。
【特許文献１】特開平１１−８２８８０号公報
【発明の開示】
【発明が解決しようとする課題】
【０００５】
しかしながら、係る従来のアジャスター装置では、断熱箱体の底壁内にアジャスターボルトを回動させるための比較的大成る寸法の貫通孔が存在するため、貯蔵室側から異物が落下し、或いは、外観が悪化する問題がある。そのため、高さ調整完了後に貫通孔の貯蔵室側にキャップ等を取り付けて塞いでしまう必要があった。また、貫通孔は貯蔵室の内外を連通しているため、このキャップを付け忘れると気密性の問題が生じる。尚、このキャップは貯蔵室内への物品の納出の際に外れてしまう危険性があると共に、何度も移設を行うとキャップの気密性も悪化してしまう。
【０００６】
更に、貯蔵室内を冷却する低温庫の場合には、貯蔵室内外を連通する貫通孔の存在によって断熱性も悪化するため、高さ調整完了後に内部を断熱材で埋めるか、前記公報のように貯蔵室側から断熱カバーにて覆い、或いは、庫外側から断熱材で覆う必要がある。しかしながら、断熱材で埋める場合や庫外側から断熱材で覆う場合には再設置や移設の際、高さ調整をやり直すために断熱材を撤去しなければならない等、作業が面倒になると共に、貯蔵室側から断熱カバーを取り付ける場合には、床面上に大きく突出するために邪魔になる欠点がある。更にまた、断熱材で埋める場合や庫外側に断熱材を取り付ける場合には、外部（底壁下方）からアジャスターボルトを回すと、これら断熱材が破損してしまう問題もある。
【０００７】
本発明は、係る従来の技術的課題を解決するために成されたものであり、貯蔵庫の箱体の底壁に貯蔵室内外を連通する貫通孔を作らないアジャスター装置を提供するものである。
【課題を解決するための手段】
【０００８】
本発明のアジャスター装置は、箱体内に貯蔵室が構成され、この箱体より下方に突出するアジャスターボルトを備えて成る貯蔵庫において、貯蔵室の床面を構成する箱体の底壁内に回動自在に設けられた旋回部材を備え、この旋回部材をアジャスターボルトに係合させると共に、旋回部材の上面を貯蔵室の床面に露出させ、貯蔵室内から当該旋回部材を回動操作することにより、アジャスターボルトを回動可能としたことを特徴とする。
【０００９】
請求項２の発明の貯蔵庫のアジャスター装置は、上記において箱体は断熱箱体であり、貯蔵室内は所定の温度に冷却されると共に、旋回部材は断熱性材料にて構成されていることを特徴とする。
【００１０】
請求項３の発明の貯蔵庫のアジャスター装置は、上記各発明において旋回部材の上面は、貯蔵室の床面と略面一とされると共に、当該上面には工具を係合するための係合部が凹陥形成されていることを特徴とする。
【００１１】
請求項４の発明の貯蔵庫のアジャスター装置は、請求項１又は請求項２において旋回部材の上面には、貯蔵室内に位置するハンドル部が一体に形成されていることを特徴とする。
【発明の効果】
【００１２】
本発明のアジャスター装置によれば、箱体内に貯蔵室が構成され、この箱体より下方に突出するアジャスターボルトを備えて成る貯蔵庫において、貯蔵室の床面を構成する箱体の底壁内に回動自在に設けられた旋回部材を備え、この旋回部材をアジャスターボルトに係合させると共に、旋回部材の上面を貯蔵室の床面に露出させ、貯蔵室内から当該旋回部材を回動操作することにより、アジャスターボルトを回動可能としたので、貯蔵室内側から旋回部材を回動操作するだけでアジャスターボルトを回動させ、極めて容易に貯蔵庫の高さ調整を行うことができる。
【００１３】
この場合、箱体の底壁内には貯蔵室の内外を連通する貫通孔が構成されないので、気密性が良好となり、従来の如くキャップ等で塞ぐ必要も無く、再設置や移設作業が面倒となったり、キャップ等が外れて気密性が悪化する等の不都合も生じない。また、繰り返し使用しても性能低下の問題は生じない。特に、旋回部材やアジャスターボルト等は貯蔵庫の組立時に取り付けておけるので、従来の如く設置現場で部品を取り付ける必要も無く、また、移設の際にもキャップ等の着脱をする必要がないので、これによっても気密性を確実に維持できる。
【００１４】
また、請求項２の発明の如く箱体が断熱箱体であり、貯蔵室内が所定の温度に冷却される場合に、旋回部材を断熱性材料にて構成することにより、従来の如く格別な断熱カバー等を取り付けること無く、アジャスター装置が貯蔵室内の冷却性能に悪影響を及ぼす不都合を防止して断熱性を確保できると共に、外部からアジャスターボルトを回動させた際の部品破損も生じない。また、格別な断熱材が不要となるので、これによっても移設作業が向上する。
【００１５】
更に、請求項３の発明の如く旋回部材の上面を貯蔵室の床面と略面一とすると共に、当該上面に工具を係合するための係合部を凹陥形成すれば、貯蔵室への物品の納出の際に旋回部材が貯蔵室内に殆ど突出することも無く、邪魔にならない。この場合、旋回部材を回動させるには係合部に工具を係合させればよいので、高さ調整も支障なく行える。
【００１６】
逆に、請求項４の発明の如く旋回部材の上面に、貯蔵室内に位置するハンドル部を一体に形成すれば、格別な工具を用いること無く、このハンドル部を持って旋回部材を回動させ、高さ調整を行うことができるようになる。
【発明を実施するための最良の形態】
【００１７】
次に、図面に基づき本発明の実施形態を詳述する。
【実施例１】
【００１８】
図１は本発明を適用した貯蔵庫の一実施例の低温庫１の斜視図を示し、図２は低温庫１のアジャスター装置５部分の拡大透視斜視図、図３はアジャスター装置５部分の拡大縦断側面図、図４はアジャスターボルト８と旋回部材１３の平断面図、図５はアジャスターボルト８の斜視図、図６は旋回部材１３部分の分解斜視図をそれぞれ示している。本発明における貯蔵庫としての低温庫１は、玄米等の穀物を含む食材や調理済み食品等の物品を所定の温度に冷却して保存する冷却貯蔵庫であり、前面に開口する箱体としての断熱箱体２により本体が構成されている。この断熱箱体２内に物品を収納する貯蔵室３が構成されると共に、この貯蔵室３の前面開口はヒンジ４にて回動自在に枢支された観音開き式の扉６にて開閉自在に閉塞される。また、断熱箱体２の天面には図示しない機械室が構成され、この機械室内には圧縮機や凝縮器、冷却器などから成る冷却装置が設置される。そして、この冷却装置にて冷却された冷気が天面の連通口７から貯蔵室３内に供給循環され、これにより貯蔵室３内は所定の冷蔵若しくは冷凍温度に冷却される。
【００１９】
貯蔵室３の床面を構成する断熱箱体２の底壁２Ａ四隅部には、本発明のアジャスター装置５・・・が取り付けられている。この場合、図３、図６に示すように底壁２Ａを構成する内面材２１の四隅部には円形の窓孔２２が形成されており、この窓孔２２の下方に対応する位置の底壁２Ａの外面材２３にはこの窓孔２２より大径であって、窓孔２２の中心の垂直下方に中心を有する円形の開口２４が形成されている。そして、この内面材２１の窓孔２２と外面材２３の開口２４間に渡ってスリーブ２６が取り付けられている。
【００２０】
この場合、スリーブ２６は断熱性を有する硬質合成樹脂から構成され、円筒形状を呈している。そして、スリーブ２６の上端面は窓孔２２の外側の内面材２１下面に当接し、スリーブ２６の下端面は開口２４の周縁の外面材２３上面に当接している。また、スリーブ２６の軸心は窓孔２２と開口２４の中心は一致している。このスリーブ２６の外側であって内面材２１と外面材２３間に断熱材２７が発泡充填されて底壁２Ａが構成されている。尚、１４はスリーブ２６の外側の外面材２３上面に設けられた補強材である。
【００２１】
断熱箱体２の底壁２Ａ下面にはアングル１６が取り付けられており、このアングル１６には移動用の車輪１７（図１に示す）が取り付けられている。そして、この車輪１７の近傍であって、スリーブ２６の軸心の垂直下方に対応する位置のアングル１６下面にはナット１８が溶接固定されている。
【００２２】
また、前述したように底壁２Ａ内に埋め込まれたスリーブ２６内には、旋回部材１３が回動自在に挿入される。この旋回部材１３も熱伝導率の小さい断熱性を有する硬質合成樹脂（表面滑らかなテフロン（登録商標）素材等）にて構成され、円柱状を呈している。この旋回部材１３の上面には略内面材２１の厚さと同等の高さの円形突起部２７が形成されており、この突起部２７は内面材２１の窓孔２２内に進入可能な寸法を有している。また、この突起部２７には十文字の係合部２８が凹陥形成されている。
【００２３】
旋回部材１３内には、下面にて開口する挿入部２９が形成されている。この挿入部２９は図５に示すアジャスターボルト８が進入可能な形状と寸法を有して上面の突起部２７の少許下側まで上下に渡って形成されており、更にその中心は旋回部材１３の軸心と一致している。また、軸心に対して対称の位置には縦溝２９Ａ、２９Ａが上下に渡って形成され、この縦溝２９Ａ、２９Ａの下端も旋回部材１３の下面にて開口している。更に、旋回部材１３の外径寸法は、スリーブ２６内に微少のクリアランスを有して回動自在に挿入可能な寸法とされている。
【００２４】
一方、スリーブ２６の垂直下方に位置するアングル１６の上壁１６Ａには、旋回部材１３が進入可能な円形の透孔１６Ｂが形成されている。そして、旋回部材１３の上部はスリーブ２６内に回動自在に挿入され、下部はアングル１６の透孔１６Ｂ内に回動自在に挿入される。このとき、旋回部材１３上面の突起部２７は内面材２１の窓孔２２内に進入し、貯蔵室３の床面に露出してその上面は内面材２１の上面と略面一となり、突起部２７周辺の旋回部材１３の上面は内面材２１の下面に当接する。また、旋回部材１３の下面はアングル１６の下壁１６Ｃ上に当接している。
【００２５】
これによって、旋回部材１３は底壁２Ａ内に回動自在に設けられると共に、その上面は内面材２１の窓孔２２を塞ぐ。また、アングル１６の下壁１６Ｃには透孔１６Ｂの垂直下方に位置して開口が形成されており、前記ナット１８はこの開口の周辺に位置して下壁１６Ｃの下面に溶接固定されている。そして、ナット１８の軸心は旋回部材１３の軸心と一致している。
【００２６】
一方、アジャスターボルト８は、その周囲にネジ溝が上下に渡って形成され、その下端には図５に示すように逆ハット状の接地部８Ａが設けられている。そして、この接地部８Ａの上側周面がナット１８に螺合し、上部は旋回部材１３の挿入部２９内に進入する。この場合、アジャスターボルト８の上部には、当該アジャスターボルト８をナット１８に通した後、ガイドピン１２が取り付けられ、当該アジャスターボルト８の一部となる。このガイドピン１２はアジャスターボルト８の中心を通って水平に挿入され、その両端はアジャスターボルト８から両側外方に突出しており、アジャスターボルト８が旋回部材１３の挿入部２９内に進入した状態で、縦溝２９Ａ、２９Ａ内に進入して係合する（図４）。これらアジャスターボルト８、旋回部材１３、ナット１８等で本発明のアジャスター装置５が構成されている。
【００２７】
このように取り付けられた状態でアジャスターボルト８は断熱箱体２から下方に突出し、貯蔵室３側に最もねじ込まれた状態では、接地部８Ａが車輪１７の下端より上となってアングル１６の下側に臨む。そして、低温庫１を据え付ける際には、その状態から底壁２Ａの床面に露出している旋回部材１３の突起部２７に形成された係合部２８に、貯蔵室３内からプラスドライバ（工具）を係合させ、図２の上から見て時計回りに回動させる。すると、当該旋回部材１３の縦溝２９Ａにガイドピン１２が係合しているアジャスターボルト８が時計回りに回動され、当該アジャスターボルト８は降下して断熱箱体２の底壁２Ａより下方に徐々に突出していき、やがて車輪１７より下方まで突出して設置床面に接地部８Ａが当接する。また、逆に旋回部材１３を反時計回りに回動させれば、アジャスターボルト８は上昇する。
【００２８】
このようにアジャスターボルト８を車輪１７より下方に突出させ、且つ、断熱箱体２からの突出量を調整することで、低温庫１の設置現場の床面の凹凸を吸収し、高さ調整を行って安定的に低温庫１を設置することができる。
【００２９】
以上のように、貯蔵室３の床面を構成する断熱箱体２の底壁２Ａ内に回動自在に旋回部材１３を設け、この旋回部材１３をアジャスターボルト８に係合させると共に、旋回部材１３の上面を貯蔵室３の床面に露出させ、貯蔵室３内から当該旋回部材１３を回動操作することにより、アジャスターボルト８を回動可能としたので、貯蔵室３内側から旋回部材１３を回動操作するだけでアジャスターボルト８を回動させ、極めて容易に低温庫１の高さ調整を行うことができるようになる。
【００３０】
この場合、断熱箱体２の底壁２Ａを構成する内面材２１の窓孔２２は旋回部材１３で塞がれており、従って、底壁２Ａ内には貯蔵室３の内外を連通する貫通孔が構成されないので、気密性が良好となり、従来の如くキャップ等で塞ぐ必要も無く、再設置や移設作業が面倒となったり、キャップ等が外れて気密性が悪化する等の不都合も生じない。また、繰り返し使用しても性能低下の問題は生じない。特に、旋回部材１３やアジャスターボルト８等は低温庫１の組立時に取り付けておけるので、従来の如く設置現場で部品を取り付ける必要も無く、また、移設の際にもキャップ等の着脱をする必要がないので、これによっても気密性を確実に維持できる。
【００３１】
また、旋回部材１３は断熱性材料にて構成されているので、従来の如く格別な断熱カバー等を取り付けること無く、アジャスター装置５が貯蔵室３内の冷却性能に悪影響を及ぼす不都合を防止して断熱性を確保できる。更に、アジャスターボルト８はアングル１６の下側でスパナなどによって回動させることもできるが、そのように外部から回動させた際の部品破損は生じない。また、格別な断熱材が不要となるので、これによっても移設作業が向上する。
【００３２】
更に、旋回部材１３の上面を貯蔵室３の床面と略面一となっており、当該上面にはドライバを係合するための係合部２８が凹陥形成されているので、貯蔵室３への物品の納出の際に旋回部材１３が貯蔵室３内に殆ど突出することも無く、邪魔にならない。この場合、旋回部材１３を回動させるには係合部２８にドライバを係合させればよいので、高さ調整も支障なく行える。
【実施例２】
【００３３】
尚、図７は本発明のアジャスター装置５を構成する旋回部材１３の他の実施例を示している。この場合、突出部２７には中心部に六角ネジ頭形状を残してその周囲に工具が進入可能な溝状の係合部２８が凹陥形成されている。係る構成によれば、係合部２８に六角ドライバ（工具）を係合させて旋回部材１３を回動させ、アジャスターボルト８の突出量を調整して高さ調整をすることが可能となる。
【実施例３】
【００３４】
また、図８は本発明のアジャスター装置５を構成する旋回部材１３のもう一つの他の実施例を示している。この場合、突出部２７には中心部に矩形状の係合部２８が凹陥形成されている。係る構成によれば、係合部２８に四角レンチ（工具）を係合させて旋回部材１３を回動させ、アジャスターボルト８の突出量を調整して高さ調整をすることが可能となる。尚、この場合、係合部２８を六角状の凹陥部とすれば、六角レンチ（工具）を係合させることができる。
【実施例４】
【００３５】
更に、図９及び図１０は本発明のアジャスター装置５を構成する旋回部材１３の更にもう一つの他の実施例を示している。この場合は旋回部材１３上面の突起部２７に指でつまむことができるハンドル部２８Ａが一体に形成され、貯蔵室３内に位置している。図９の例は突起部２７の直径上から起立する壁にてハンドル部２８Ａが形成され、図１０の例ではハンドル部２８ＡはＬ字状に屈曲されたハンドル形状とされている。係る構成によれば、格別な工具を用いること無く、このハンドル部２８Ａを持って旋回部材１３を回動させ、高さ調整を行うことができるようになる。
【実施例５】
【００３６】
更に、図１１及び図１２は本発明のアジャスター装置５の他の実施例を示している。この場合、旋回部材１３の挿入部２９内には、軸心に対して対称の位置に縦方向の突条２９Ｂ、２９Ｂが形成されている。一方、アジャスターボルト８にはガイドピン１２は挿入されず、代わりに軸心に対して対称の位置に縦方向の溝８Ｂ、８Ｂが形成されている。そして、この溝８Ｂ、８Ｂに旋回部材１３の突条２９Ｂ、２９Ｂが係合し、旋回部材１３はアジャスターボルト８に係合している。
【００３７】
係る構成によっても係合部２８に工具を係合して旋回部材１３を回動させることで、アジャスターボルト８の突出量を調整し、高さ調整を行うことができる。特に、この場合にはガイドピンも不要となる。
【実施例６】
【００３８】
更にまた、図１３及び図１４は本発明のアジャスター装置５の更に他の実施例を示している。この場合、旋回部材１３の挿入部２９には、軸心に対して対称の位置に平坦面２９Ｃ、２９Ｃが形成されている。一方、アジャスターボルト８にはガイドピン１２は挿入されず、代わりに軸心に対して対称の位置に平坦面８Ｃ、８Ｃが上下に渡って形成されている。そして、係る挿入部２９及びアジャスターボルト８自体の形状によって両者は係合する。
【００３９】
係る構成によっても係合部２８に工具を係合して旋回部材１３を回動させることで、アジャスターボルト８の突出量を調整し、高さ調整を行うことができる。特に、この場合にはガイドピンも不要となる。
【実施例７】
【００４０】
また、図１５及び図１６は本発明のアジャスター装置５の更にまた他の実施例を示している。この場合は旋回部材１３も底壁２Ａを構成する内面材２１と外面材２３間に内蔵される。また、旋回部材１３の挿入部２９には図１３、図１４の場合と同様の平坦面２９Ｃ、２９Ｃが形成されている。一方、アジャスターボルト８にはガイドピン１２は挿入されず、代わりにその上部のみに図１３、図１４の場合と同様の平坦面８Ｃ、８Ｃが上下に渡って形成されている。そして、係る挿入部２９及びアジャスターボルト８上部の形状自体によって両者は係合する。
【００４１】
係る構成によっても係合部２８に工具を係合して旋回部材１３を回動させることで、アジャスターボルト８の突出量を調整し、高さ調整を行うことができる。特に、この場合にはガイドピンも不要となる。
【００４２】
尚、上記各実施例ではアジャスターボルト８とナット１８の螺合によって高さ調整を行ったが、それに限らず、アングル１６の下壁１６Ｃの開口周囲にタップを形成し、そこにアジャスターボルト８を螺合させてもよい。また、実施例では低温庫の例で説明したが、貯蔵室内が冷却されない通常の貯蔵庫にも本発明は有効である。
【図面の簡単な説明】
【００４３】
【図１】本発明を適用した実施例の低温庫の斜視図である。
【図２】図１の低温庫のアジャスター装置部分の拡大透視斜視図である（実施例１）。
【図３】図１の低温庫のアジャスター装置部分の拡大縦断側面図である。
【図４】図１の低温庫のアジャスターボルトと旋回部材の平断面図である。
【図５】図１の低温庫のアジャスターボルトの斜視図である。
【図６】図１の低温庫の旋回部材部分の分解斜視図である。
【図７】本発明のアジャスター装置の旋回部材の他の実施例の上部斜視図である（実施例２）。
【図８】本発明のアジャスター装置の旋回部材のもう一つの他の実施例の上部斜視図である（実施例３）。
【図９】本発明のアジャスター装置の旋回部材の更にもう一つの他の実施例の上部斜視図である（実施例４）。
【図１０】図９の旋回部材の変形例を示す上部斜視図である。
【図１１】本発明を適用した他の実施例の低温庫のアジャスター装置部分の拡大縦断側面図である（実施例５）。
【図１２】図１１の低温庫のアジャスターボルトと旋回部材の平断面図である。
【図１３】本発明を適用したもう一つの他の実施例の低温庫のアジャスター装置部分の拡大縦断側面図である（実施例６）。
【図１４】図１３の低温庫のアジャスターボルトと旋回部材の平断面図である。
【図１５】本発明を適用した更にもう一つの他の実施例の低温庫のアジャスター装置部分の拡大縦断側面図である（実施例７）。
【図１６】図１５の低温庫のアジャスターボルトと旋回部材の平断面図である。
【符号の説明】
【００４４】
１  低温庫
２  断熱箱体
２Ａ  底壁
３  貯蔵室
５  アジャスター装置
８  アジャスターボルト
１２  ガイドピン
１３  旋回部材
１８  ナット
２７  突起部
２８  係合部
２９  挿入部
【図１】
2006266643.tif 000003
【図２】
2006266643.tif 000004
【図３】
2006266643.tif 000005
【図４】
2006266643.tif 000006
【図５】
2006266643.tif 000007
【図６】
2006266643.tif 000008
【図７】
2006266643.tif 000009
【図８】
2006266643.tif 000010
【図９】
2006266643.tif 000011
【図１０】
2006266643.tif 000012
【図１１】
2006266643.tif 000013
【図１２】
2006266643.tif 000014
【図１３】
2006266643.tif 000015
【図１４】
2006266643.tif 000016
【図１５】
2006266643.tif 000017
【図１６】
2006266643.tif 000018